(57)【要約】      （修正有）【課題】一緒に行動したユーザだけに画像を共有させるサーバー，共有システム及び撮像装置を提供する。【解決手段】第１撮像装置により撮像された画像の共有許否の判断材料となる第１共有許可情報、及び画像の撮像時の撮像位置情報と撮像日時情報が関連付けられた画像データを第１撮像装置から受信する第１受信部（通信部２２）と、第２撮像装置においてＧＰＳにより測位された現在位置の位置情報と測位日時の日時情報とから成るログデータ、及び第２撮像装置に記憶されている第２共有許可情報を第２撮像装置から受信する第２受信部（通信部２２）と、第１受信部が受信した撮像位置情報、撮像日時情報が第２受信部が受信したログデータに含まれているか否か、並びに画像データに関連付けられている第１共有許可情報と一致する第２共有許可情報が受信できたか否かを判定し、第２撮像装置に対する画像の共有許否を判定する共有判定部（ＣＰＵ２０）とを備える。【選択図】図２
2016051980.tif 000002
【特許請求の範囲】
【請求項１】
第１撮像装置により撮像された画像の共有許否の判断材料となる第１共有許可情報、及び前記画像の撮像時の撮像位置情報と撮像日時情報が関連付けられた画像データを前記第１撮像装置から受信する第１受信部と、
第２撮像装置においてＧＰＳにより測位された現在位置の位置情報と測位日時の日時情報とから成るログデータ、及び前記第２撮像装置に記憶されている第２共有許可情報を前記第２撮像装置から受信する第２受信部と、
前記第１受信部により受信した前記画像データに関連付けられている前記撮像位置情報、前記撮像日時情報と一致する前記位置情報、前記日時情報が前記第２受信部により受信した前記ログデータに含まれているか否か、並びに前記画像データに関連付けられている前記第１共有許可情報と一致する前記第２共有許可情報が前記第２受信部により受信できたか否かを判定する判定部と、
前記判定部による判定結果に基づいて、前記第２撮像装置に対する前記画像の共有許否を判定する共有判定部と
を備えることを特徴とする画像共有サーバ。
【請求項２】
前記第１受信部により受信した前記画像データから人物の顔を認識する顔認識部と、
前記第２撮像装置のユーザの顔の特徴を記憶する個人情報記憶部と
を備え、
前記共有判定部は、前記顔認識部により認識された前記人物の顔に前記個人情報記憶部に記憶された前記特徴を有する顔が含まれるか否かを判断することにより、前記第２撮像装置に対する前記画像の共有許否を判定することを特徴とする請求項１記載の画像共有サーバ。
【請求項３】
前記第１共有許可情報、及び前記第２共有許可情報は、画像情報、文字情報の少なくとも一つを含むことを特徴とする請求項１または２記載の画像共有サーバ。
【請求項４】
複数の撮像装置と、複数の前記撮像装置に対して限定的に画像を共有させる画像共有サーバとを備える画像共有システムであって、
前記撮像装置は、
現在位置の測位を行うＧＰＳと、
前記ＧＰＳにより測位した現在位置の位置情報を測位日時の日時情報と共にログデータとして記録する記録部と、
前記画像の撮像を行う撮像素子と、
前記画像の撮像時における前記撮像位置情報及び前記撮像日時情報を前記画像の画像データに関連付けて記憶する画像記憶部と、
前記画像の共有許否の判断材料となる共有許可情報を該画像共有システムに含まれる他の前記撮像装置に対して送信する第１送信部と、
前記撮像位置情報及び前記撮像日時情報が関連付けられた前記画像データを前記画像共有サーバに送信する第２送信部と
を備え、
前記画像共有サーバは、
他の前記撮像装置の前記記録部に記録された他の前記ログデータ、及び他の前記撮像装置に記憶されている他の前記共有許可情報を受信する第１受信部と、
前記第２送信部から送信された前記画像データを受信する第２受信部と、
前記第２受信部により受信した前記画像データに関連付けられている前記撮像位置情報、前記撮像日時情報と一致する前記位置情報、前記日時情報が前記第１受信部により受信した他の前記ログデータに含まれているか否か、並びに前記画像データに関連付けられている前記共有許可情報と一致する他の前記共有許可情報が前記第１受信部により受信できたか否かを判定する判定部と、
前記判定部による判定結果に基づいて、他の前記撮像装置に対する前記画像の共有許否を判定する共有判定部と
を備えることを特徴とする画像共有システム。
【請求項５】
前記画像共有サーバは、
前記第２受信部により受信した前記画像データから人物の顔を認識する顔認識部と、
他の前記撮像装置のユーザの顔の特徴を記憶する個人情報記憶部と
を備え、
前記共有判定部は、前記顔認識部により認識された前記人物の顔に前記個人情報記憶部に記憶された前記特徴を有する顔が含まれるか否かを判断することにより、他の前記撮像装置に対する前記画像の共有許否を判定することを特徴とする請求項４記載の画像共有システム。
【請求項６】
前記第１送信部は、近距離無線通信圏内に位置する他の前記撮像装置に対して前記共有許可情報を送信することを特徴とする請求項４または５記載の画像共有システム。
【請求項７】
前記共有許可情報は、画像情報、文字情報の少なくとも一つを含むことを特徴とする請求項４〜６の何れか一項に記載の画像共有システム。
【請求項８】
第１端末装置により撮像された画像の画像データ、及び前記第１端末装置において測位された位置の位置情報と測位された日時の日時情報とから成る第１ログデータを受信する第１受信部と、
前記第１ログデータから、第２端末装置に前記画像の共有を許可する条件となる共有許可条件の候補の候補データを抽出する抽出部と、
前記抽出部により抽出された前記候補データに基づく前記候補の中から前記共有許可条件を決定する決定部と、
前記決定部により決定された前記共有許可条件に関する情報を前記画像データに関連付ける関連制御部と、
前記第２端末装置において取得された第２ログデータを受信する第２受信部と、
前記第２ログデータが前記共有許可条件を満足するか否かを判定する判定部と、
前記判定部による判定結果に基づいて前記第２端末装置に対する前記画像の共有許否を決定する共有許否決定部と
を備えることを特徴とする画像共有サーバ。
【請求項９】
複数の前記候補を前記第１端末装置の表示画面に表示させる表示制御部を備え、
前記決定部は、前記表示画面に表示された複数の前記候補の中から選択された少なくとも一つの前記候補を前記共有許可条件として決定することを特徴とする請求項８記載の画像共有サーバ。
【請求項１０】
前記抽出部は、前記候補データとして前記位置情報と前記日時情報との複数の組合せを前記第１ログデータから抽出し、
前記決定部は、複数の前記組合せの中から少なくとも一つの前記位置情報と前記日時情報の組合せを前記共有許可条件として決定し、
前記判定部は、前記決定部により前記共有許可条件として決定された全ての組合せが前記第２ログデータに含まれるか否かを判定することを特徴とする請求項８または９記載の画像共有サーバ。
【請求項１１】
前記第１端末装置が一定の時間を超えて一定の場所に位置していた場合における時間帯を前記第１ログデータから検出する検出部を備え、
前記抽出部は、前記検出部により検出された前記時間帯に含まれる前記時間情報、及び前記時間情報に基づく時間に測位された位置の位置情報を前記候補データとして前記第１ログデータから抽出することを特徴とする請求項１０記載の画像共有サーバ。
【請求項１２】
前記候補データに含まれる前記時間情報に基づく時間の間隔が所定の時間以上の時間間隔を有すること、及び前記候補データに含まれる前記位置情報に基づく位置同士の間の距離が所定の距離以上の間隔を有することの少なくとも一方を満足することを特徴とする請求項１０または１１記載の画像共有サーバ。
【請求項１３】
前記共有許可条件には、前記画像の撮像時における前記位置情報及び前記日時情報が含まれることを特徴とする請求項８〜１２の中の何れか一項に記載の画像共有サーバ。
【請求項１４】
前記第２端末装置に対して前記画像の共有を許可する場合における共有許可の態様を設定する設定部を備えることを特徴とする請求項８〜１３の中の何れか一項に記載の画像共有サーバ。
【請求項１５】
前記抽出部は、前記第１ログデータにおいて前記位置が測位されなかった時間の前記日時情報を前記候補データとして抽出することを特徴とする請求項８または９記載の画像共有サーバ。
【請求項１６】
被写体光を撮像する撮像素子を備える撮像装置であって、
前記撮像素子により撮像された人物の該撮像装置の使用者に対する親密度を前記人物の識別情報と関連付けて記憶する親密度記憶部と、
前記親密度記憶部に記憶された前記親密度に基づいて前記識別情報のランキング分類を行う分類部と、
前記分類部によるランキング分類結果を該撮像装置と通信可能なサーバに送信する送信部と、
前記サーバの提供する所定のサイトにアップロードする撮影画像の撮影画像データを前記サーバに送信する送信制御部と、
前記サーバにおいて前記ランキング分類結果に基づいて作成された、前記撮影画像の公開範囲の候補を示す公開範囲テーブルを受信する受信部と、
前記受信部により受信した前記公開範囲テーブルを表示する表示部と、
前記表示部に表示された前記公開範囲テーブルに含まれる前記公開範囲の候補の中から一つの候補を前記使用者に選択させる操作部と
を備えることを特徴とする撮像装置。
【請求項１７】
前記人物が前記撮像素子により撮影された回数に基づいて前記人物の新たな親密度を算出する算出部と、
前記人物が撮影された場合に、前記算出部による算出結果に基づいて前記親密度記憶部に記憶されている前記人物の親密度を更新する更新制御部と
を備えることを特徴とする請求項１６記載の撮像装置。
【請求項１８】
前記公開範囲テーブルにおいて、前記公開範囲の候補は複数の公開ランクに分類されることを特徴とする請求項１６または１７記載の撮像装置。
【請求項１９】
前記公開範囲には少なくとも一人以上の公開対象ユーザが含まれ、
下位の前記公開ランクに対応する前記公開範囲には、それよりも上位の前記公開ランクに対応する前記公開範囲に含まれる全ての公開対象ユーザが含まれることを特徴とする請求項１８記載の撮像装置。
【請求項２０】
画像データから人の顔を認識する顔認識部を備え、
前記算出部は、前記顔認識部により前記人物が前記画像データから認識された回数に基づいて前記人物の親密度を算出することを特徴とする請求項１７〜１９記載の撮像装置。
【請求項２１】
前記算出部は、前記画像データに含まれる前記人物の顔の大きさに基づいて親密度の重み付けを行うことを特徴とする請求項２０記載の撮像装置。
【請求項２２】
前記算出部は、前記画像データに前記人物の顔と共に該撮像装置の前記使用者の顔が含まれる場合に親密度の重み付けを行うことを特徴とする請求項２０または２１記載の撮像装置。
【請求項２３】
前記算出部は、前記ランキング分類結果に基づくランキングが所定の順位より上位の前記識別情報に対応する前記人物の親密度を重み付けすることを特徴とする請求項２０〜２２の何れか一項に記載の撮像装置。
【請求項２４】
該撮像装置は、デジタルカメラ、スマートフォン、及びタブレット端末の何れかであることを特徴とする請求項１６〜２３の何れか一項に記載の撮像装置。
【請求項２５】
被写体光を撮像する撮像素子を備える撮像装置と、撮影画像の投稿を受け付ける所定のサイトを提供するサーバとを備える画像共有システムであって、
前記撮像装置は、
前記撮像素子により撮像された人物の該撮像装置の使用者に対する親密度を前記人物の識別情報と関連付けて記憶する親密度記憶部と、
前記親密度記憶部に記憶された前記親密度に基づいて前記識別情報のランキング分類を行う分類部と、
前記分類部によるランキング分類結果を該撮像装置と通信可能なサーバに送信する送信部と
を備え、
前記サーバは、
前記ランキング分類結果を受信する受信部と、
前記ランキング分類結果に基づいて前記所定のサイトにアップロードされた画像の公開範囲の候補を示す公開範囲テーブルを作成する作成部と、
前記公開範囲テーブルを前記撮像装置の表示部に表示させる制御部と、
前記撮像装置において前記公開範囲の候補の中から一つの候補が選択された場合に、選択された前記公開範囲に含まれるユーザと前記使用者にのみ前記画像の公開を許可し、選択された前記公開範囲に含まれていないユーザへの前記画像の公開を禁止する公開制御部と
を備えることを特徴とする画像共有システム。
【発明の詳細な説明】
【技術分野】
【０００１】
本発明は、画像共有サーバ、画像共有システム、及び撮像装置に関するものである。
【背景技術】
【０００２】
従来、位置時刻情報が一致する端末を所持するユーザを同一グループに属すると判定し、同一グループに属するユーザのみに情報を提供する位置履歴認証システムが知られている（例えば、特許文献１参照）。この位置履歴認証システムによれば、位置及び時刻からみて権限を有するユーザのみに情報を提供することができる。
【先行技術文献】
【特許文献】
【０００３】
【特許文献１】特開２０１２−１３３５２６
【発明の概要】
【発明が解決しようとする課題】
【０００４】
しかしながら、この位置履歴認証システムにおいては、たまたま同じ時間に同じ場所に居合わせたユーザも同一グループに属すると判定される場合がある。このため、例えば、イベントなどに出かけた場合において、一緒に行動していない家族や仲間以外のユーザにも情報が漏洩するおそれがあった。
【０００５】
本発明の目的は、一緒に行動したユーザだけに画像を共有させることができる画像共有サーバ、及び画像共有システムを提供することである。
【課題を解決するための手段】
【０００６】
本発明の画像共有サーバは、第１撮像装置により撮像された画像の共有許否の判断材料となる第１共有許可情報、及び前記画像の撮像時の撮像位置情報と撮像日時情報が関連付けられた画像データを前記第１撮像装置から受信する第１受信部と、第２撮像装置においてＧＰＳにより測位された現在位置の位置情報と測位日時の日時情報とから成るログデータ、及び前記第２撮像装置に記憶されている第２共有許可情報を前記第２撮像装置から受信する第２受信部と、前記第１受信部により受信した前記画像データに関連付けられている前記撮像位置情報、前記撮像日時情報と一致する前記位置情報、前記日時情報が前記第２受信部により受信した前記ログデータに含まれているか否か、並びに前記画像データに関連付けられている前記第１共有許可情報と一致する前記第２共有許可情報が前記第２受信部により受信できたか否かを判定する判定部と、前記判定部による判定結果に基づいて、前記第２撮像装置に対する前記画像の共有許否を判定する共有判定部とを備えることを特徴とする。
【０００７】
また、本発明の画像共有システムは、複数の撮像装置と、複数の前記撮像装置に対して限定的に画像を共有させる画像共有サーバとを備える画像共有システムであって、前記撮像装置は、現在位置の測位を行うＧＰＳと、前記ＧＰＳにより測位した現在位置の位置情報を測位日時の日時情報と共にログデータとして記録する記録部と、前記画像の撮像を行う撮像素子と、前記画像の撮像時における前記撮像位置情報及び前記撮像日時情報を前記画像の画像データに関連付けて記憶する画像記憶部と、前記画像の共有許否の判断材料となる共有許可情報を該画像共有システムに含まれる他の前記撮像装置に対して送信する第１送信部と、前記撮像位置情報及び前記撮像日時情報が関連付けられた前記画像データを前記画像共有サーバに送信する第２送信部とを備え、前記画像共有サーバは、他の前記撮像装置の前記記録部に記録された他の前記ログデータ、及び他の前記撮像装置に記憶されている他の前記共有許可情報を受信する第１受信部と、前記第２送信部から送信された前記画像データを受信する第２受信部と、前記第２受信部により受信した前記画像データに関連付けられている前記撮像位置情報、前記撮像日時情報と一致する前記位置情報、前記日時情報が前記第１受信部により受信した他の前記ログデータに含まれているか否か、並びに前記画像データに関連付けられている前記共有許可情報と一致する他の前記共有許可情報が前記第１受信部により受信できたか否かを判定する判定部と、前記判定部による判定結果に基づいて、他の前記撮像装置に対する前記画像の共有許否を判定する共有判定部とを備えることを特徴とする。
【０００８】
また、本発明の画像共有サーバは、第１端末装置により撮像された画像の画像データ、及び前記第１端末装置において測位された現在位置の位置情報と測位日時の日時情報とから成る第１ログデータを受信する第１受信部と、前記第１ログデータから、第２端末装置に前記画像の共有を許可する条件となる共有許可条件の候補の候補データを抽出する抽出部と、前記抽出部により抽出された前記候補データに基づく前記候補の中から前記共有許可条件を決定する決定部と、前記決定部により決定された前記共有許可条件に関する情報を前記画像データに関連付ける関連制御部と、前記第２端末装置において取得された第２ログデータを受信する第２受信部と、前記第２ログデータが前記共有許可条件を満足するか否かを判定する判定部と、前記判定部による判定結果に基づいて前記第２端末装置に対する前記画像の共有許否を決定する共有許否決定部とを備えることを特徴とする。
【０００９】
また、本発明の撮像装置は、被写体光を撮像する撮像素子を備える撮像装置であって、前記撮像素子により撮像された人物の該撮像装置の使用者に対する親密度を前記人物の識別情報と関連付けて記憶する親密度記憶部と、前記親密度記憶部に記憶された前記親密度に基づいて前記識別情報のランキング分類を行う分類部と、前記分類部によるランキング分類結果を該撮像装置と通信可能なサーバに送信する送信部と、前記サーバの提供する所定のサイトにアップロードする撮影画像の撮影画像データを前記サーバに送信する送信制御部と、前記サーバにおいて前記ランキング分類結果に基づいて作成された、前記撮影画像の公開範囲の候補を示す公開範囲テーブルを受信する受信部と、前記受信部により受信した前記公開範囲テーブルを表示する表示部と、前記表示部に表示された前記公開範囲テーブルに含まれる前記公開範囲の候補の中から一つの候補を前記使用者に選択させる操作部とを備えることを特徴とする。
【００１０】
また、本発明の画像共有システムは、被写体光を撮像する撮像素子を備える撮像装置と、撮影画像の投稿を受け付ける所定のサイトを提供するサーバとを備える画像共有システムであって、前記撮像装置は、前記撮像素子により撮像された人物の該撮像装置の使用者に対する親密度を前記人物の識別情報と関連付けて記憶する親密度記憶部と、前記親密度記憶部に記憶された前記親密度に基づいて前記識別情報のランキング分類を行う分類部と、前記分類部によるランキング分類結果を該撮像装置と通信可能なサーバに送信する送信部とを備え、前記サーバは、前記ランキング分類結果を受信する受信部と、前記ランキング分類結果に基づいて前記所定のサイトにアップロードされた画像の公開範囲の候補を示す公開範囲テーブルを作成する作成部と、前記公開範囲テーブルを前記撮像装置の表示部に表示させる制御部と、前記撮像装置において前記公開範囲の候補の中から一つの候補が選択された場合に、選択された前記公開範囲に含まれるユーザと前記使用者にのみ前記画像の公開を許可し、選択された前記公開範囲に含まれていないユーザへの前記画像の公開を禁止する公開制御部とを備えることを特徴とする。
【発明の効果】
【００１１】
本発明によれば、一緒に行動したユーザだけに画像を共有させることができる。
【図面の簡単な説明】
【００１２】
【図１】第１の実施の形態に係る画像共有システムの構成を示す図である。
【図２】第１の実施の形態に係る画像共有サーバの構成を示すブロック図である。
【図３】第１の実施の形態に係る撮像装置の構成を示すブロック図である。
【図４】第１の実施の形態に係る撮像装置を所持するユーザ同士の位置関係を示す図である。
【図５】第１の実施の形態に係る画像共有システムにおける画像共有処理を示すフローチャートである。
【図６】第２の実施の形態に係る画像共有システムの構成を示す図である。
【図７】第２の実施の形態に係る画像共有サーバの構成を示すブロック図である。
【図８】第２の実施の形態に係る撮像装置の構成を示すブロック図である。
【図９】第２の実施の形態に係る撮像装置を所持する二人のユーザが一緒に目的地に出かけた場合のイメージを示す図である。
【図１０】第２の実施の形態に係る撮像装置を所持する二人のユーザが一緒にレストランに立ち寄った場合のイメージを示す図である。
【図１１】第２の実施の形態に係る撮像装置を所持する二人のユーザが別々に帰宅した場合のイメージを示す図である。
【図１２】第２の実施の形態に係る画像共有サーバが提供する画像投稿サイトに画像がアップロードされた際の処理を示す図である。
【図１３】第２の実施の形態に係る撮像装置のＬＣＤ表示部に表示された位置と日時の組合せを示す図である。
【図１４】第２の実施の形態に係る画像共有システムにおける画像共有処理を示すフローチャートである。
【図１５】第３の実施の形態に係る画像共有システムの構成を示すブロック図である。
【図１６】第３の実施の形態に係る撮像装置の構成を示すブロック図である。
【図１７】第３の実施の形態に係る親密度ファイルを示す図である。
【図１８】第３の実施の形態に係る画像共有サーバの構成を示すブロック図である。
【図１９】第３の実施の形態に係る撮像装置の処理を示すフローチャートである。
【図２０】第３の実施の形態に係るランキングテーブルを示す図である。
【図２１】第３の実施の形態に係る公開範囲テーブルを示す図である。
【図２２】第３の実施の形態に係る撮像装置において親密度の重み付けを行う場合の係数を示す図である。
【図２３】第３の実施の形態に係る撮像装置において親密度の重み付けを行う場合の係数を示す図である。
【図２４】第３の実施の形態に係る撮像装置において撮影頻度に基づいて親密度を算出する場合における親密度ファイルを示す図である。
【図２５】第３の実施の形態に係る撮像装置において撮影頻度に基づいて親密度を算出する場合におけるランキングテーブルを示す図である。
【発明を実施するための形態】
【００１３】
（第１の実施の形態）
以下、図面を参照して第１の実施の形態に係る画像共有システムについて説明する。図１は、第１の実施の形態に係る画像共有システム２の構成を示す図である。画像共有システム２は、画像共有の許否を判定する画像共有サーバ４を備え、画像共有サーバ４はネットワーク６を介して撮像装置８と通信可能に接続されている。
【００１４】
ここで、撮像装置８には、デジタルカメラ８ａ、デジタルカメラ８ｂ、スマートフォン８ｃ、スマートフォン８ｄ、…、の複数の撮像装置が含まれている。なお、デジタルカメラ８ａ、デジタルカメラ８ｂ、スマートフォン８ｃ、スマートフォン８ｄ、…、は一例を示したものであり、これ以外に、タブレット端末や携帯電話等が撮像装置８に含まれていてもよい。
【００１５】
図２は、第１の実施の形態に係る画像共有サーバ４の構成を示すブロック図である。画像共有サーバ４は、撮像装置８からの画像投稿を受け付ける画像投稿サイト（図示せず）を提供するサーバであり、画像共有サーバ４の各部を統括的に制御するＣＰＵ２０を備えている。ＣＰＵ２０には、ネットワーク６を介して撮像装置８との通信を行う通信部２２、ユーザによって予め登録された個人情報を記憶する個人情報記憶部２４、ネットワーク６を介して撮像装置８から投稿された画像の画像データを記憶する画像記憶部２６、撮像装置８から受信したログデータ（後述）や共有パスワード（後述）を記憶する情報記憶部２７、及び画像データから人物の顔を認識する顔認識部２８が接続されている。ここで、個人情報記憶部２４には、各ユーザのＩＤ、パスワード、アドレス等が顔の特徴情報と関連付けて記憶されている。
【００１６】
図３は、第１の実施の形態に係る撮像装置８の構成を示すブロック図である。撮像装置８は、撮像装置８の各部を統括的に制御するＣＰＵ３０を備えている。ＣＰＵ３０には、ネットワーク６を介して画像共有サーバ４との間で通信を行う通信部３２、ＮＦＣ（登録商標）やＷｉ−Ｆｉ（登録商標）等の近距離無線通信により撮像装置８間での通信を行う近距離通信部３３、ＧＰＳ衛星から受信した信号に基づいて現在位置を測位するＧＰＳ３４、ＧＰＳ３４により測位された現在位置の位置情報を測位日時の日時情報と共にログデータとして記憶するログデータ記憶部３６、ＬＣＤ表示部３８、ＬＣＤ表示部３８に表示されるアイコンが指等でタッチされたことを検出するタッチパネル３９、被写体光を撮像して撮像信号を生成する撮像素子４１、撮像素子４１から出力された撮像信号により生成された画像データを一時的に記憶する画像記憶部４２、画像共有の許否の判断材料となる共有パスワードを生成する情報生成部４４、近距離通信部３３を介して他の撮像装置８から受信した共有パスワードを記憶する情報記憶部４６、及び画像データを記憶するメモリカード５２を装着するメモリカードスロット５３が接続されている。
【００１７】
次に、図面を参照して、第１の実施の形態に係る画像共有サーバ４が提供する画像投稿サイトに画像が投稿されるまでの一連の流れについて説明する。なお以下では、図４に示すように、デジタルカメラ８ａを所持するユーザＡ、デジタルカメラ８ｂを所持するユーザＢ、スマートフォン８ｃを所持するユーザＣ、スマートフォン８ｄを所持するユーザＤが所定のイベントに出かけ、ユーザＡが撮像した画像を画像共有サーバ４に投稿する場合を例に説明を行う。なお、ユーザＡ、ユーザＢ、ユーザＣは、互いに友人同士であり、友人グループＸとして一緒に行動している。また、ユーザＤは、友人グループＸには属さないが、友人グループＸとほぼ同一の場所に位置する同一行動範囲Ｙ内で行動している。
【００１８】
まず、ユーザＡ、ユーザＢ、ユーザＣ、及びユーザＤは、それぞれ所定のイベントに出かける際に、撮像装置８のモードをログデータを取得するログモードに設定する。ログモードが設定されると、各撮像装置８のＣＰＵ３０は、ＧＰＳ３４により現在位置の測位を行うことにより位置情報の取得を開始し、取得した位置情報を日時情報と共にログデータとしてログデータ記憶部３６に記憶する。
【００１９】
また、ユーザＡは、所定のイベントに出かける際に、共有パスワードを生成し画像を共有させたいユーザＢとユーザＣに通知しておく。まず、ユーザＡにより共有パスワードを生成する操作が行われると、デジタルカメラ８ａのＣＰＵ３０は、ＬＣＤ表示部３８において「設定する共有パスワードを入力してください」等の表示を行った後、所定の入力画面を表示する。ここで、入力画面に例えば、「１２３４５」の数字が入力されると、ＣＰＵ３０は、情報生成部４４により「１２３４５」という共有パスワードを生成する。
【００２０】
次に、ユーザＡにより、ユーザＢとユーザＣに対して共有パスワード「１２３４５」が通知される。ここで、各撮像装置８は、近距離に存在する各撮像装置８との間でネットワーク６を介さずに直接無線通信を行う機能を有しており、例えば、所定の距離内に無線通信が可能な近距離無線通信領域を形成している。また、各撮像装置８は、近距離無線通信領域内に間歇的に所定の信号を発信している。
【００２１】
このため、ユーザＡがデジタルカメラ８ａをデジタルカメラ８ｂに近づけると、デジタルカメラ８ａとデジタルカメラ８ｂとの間で近距離無線通信が確立される。次に、ユーザＡが共有パスワード「１２３４５」を送信する操作を行うと、ＣＰＵ３０は、共有パスワード「１２３４５」を近距離通信部３３を介してデジタルカメラ８ｂに対して送信する。スマートフォン８ｂのＣＰＵ３０は、受信した共有パスワード「１２３４５」を情報記憶部４６に記憶する。
【００２２】
同様に、ユーザＡがデジタルカメラ８ａをスマートフォン８ｃに近づけて共有パスワード「１２３４５」を送信する操作を行うと、近距離通信部３３を介して共有パスワード「１２３４５」がスマートフォン８ｃに送信される。スマートフォン８ｃのＣＰＵ３０は、受信した共有パスワードを情報記憶部４６に記憶する。
【００２３】
次に、所定のイベントにおいて、デジタルカメラ８ａにより画像の撮像が行われると、ＣＰＵ３０は、撮像された画像の画像データを画像記憶部４２に一旦記憶する。そして、ＧＰＳ３４から取得した位置情報、及び日時情報をタグ情報として画像データのヘッダ部に付加した後、画像データをＥｘｉｆ等の所定のファイル形式でメモリカード５２に記録する。また、画像データをメモリカード５２に記録する際には、画像データに基づいてサムネイル画像データが生成され、画像データに付加される。
【００２４】
次に、ユーザＡは、デジタルカメラ８ａから画像投稿サイトへアクセスし、メモリカード５２に記録されている画像データの中から一枚または複数枚の画像データを選択し、画像データに基づく画像を投稿サイトに投稿する。なお、投稿の際には、画像データに共有パスワードが関連付けられる。画像投稿サーバ４のＣＰＵ２０は、投稿された画像の画像データを画像記憶部２６に記憶する。
【００２５】
次に、図５に示すフローチャートを参照し、第１の実施の形態に係る画像共有システム２における画像共有処理について、ユーザＢ、ユーザＣ、及びユーザＤが画像投稿サイトに投稿された画像αの共有を希望する場合を例に説明する。なお、以下では、ユーザＢ、ユーザＣ、及びユーザＤを包括的に表現する場合にはユーザＢＣＤと表記し、デジタルカメラ８ｂ、スマートフォン８ｃ、スマートフォン８ｄを包括的に表現する場合には撮像装置８ｂｃｄと表記する。
【００２６】
まず、ユーザＢＣＤが、撮像装置８ｂｃｄから画像投稿サイトへアクセスすると、画像共有サーバ４のＣＰＵ２０は、ＬＣＤ表示部３８に「ログデータと共有パスワードを送信してください」等のメッセージを表示する（ステップＳ１）。ここで、ユーザＢとユーザＣは、ログデータ記憶部３６に記憶されているログデータ、及び情報記憶部４６に記憶されている共有パスワード「１２３４５」をネットワーク６を介して画像共有サーバ４に送信する。一方、ユーザＤは、共有パスワード「１２３４５」の通知を受けていないため、ログデータ記憶部３６に記憶されているログデータのみを画像共有サーバ４に送信し、共有パスワードは送信しない。
【００２７】
画像共有サーバ４のＣＰＵ２０は、撮像装置８ｂｃｄからログデータを受信した場合（ステップＳ２）、撮像装置８ｂｃｄのＬＣＤ表示部３８に画像投稿サイトの画面を表示させる（ステップＳ３）。ここで、画像投稿サイトの画面内には、画像投稿サイトに投稿された画像そのものは表示されず、画像のサムネイル画像のみが表示される。なお、撮像装置８ｂｃｄから受信されたログデータは情報記憶部２７に記憶され、更に共有パスワードが受信された場合には、共有パスワードも併せて情報記憶部２７に記憶される。
【００２８】
次に、ユーザＢＣＤにより、共有したい画像αのサムネイル画像α１が選択されると、画像共有サーバ４のＣＰＵ２０は、まず、画像αの画像データα´に付加された位置情報、日時情報と一致する位置情報、日時情報がログデータに含まれるか否かを判定する（ステップＳ４）。
【００２９】
画像データα´に付加された位置情報、日時情報と一致する位置情報、日時情報がログデータに含まれていない場合（ステップＳ４：Ｎｏ）、ＣＰＵ２０は、撮像装置８ｂｃｄに対して画像αの共有を許可しない（ステップＳ６）。例えば、撮像装置８ｂｃｄのＬＣＤ表示部３８に画像αを表示させず、ユーザＢＣＤが撮像装置８ｂｃｄで画像投稿サイトに投稿された画像αを閲覧できないようにする。ただし、この第１の実施の形態においては、ユーザＢ、ユーザＣ、ユーザＤが同一行動範囲Ｙ内で行動しているため（図４参照）、デジタルカメラ８ｂ、スマートフォン８ｃ、スマートフォン８ｄの何れもステップＳ６の段階で画像αの共有を拒否されることはない。
【００３０】
一方、画像データα´に付加された位置情報、日時情報と一致する位置情報、日時情報がログデータに含まれている場合（ステップＳ４：Ｙｅｓ）、画像共有サーバ４のＣＰＵ２０は、画像データα´に関連付けられている共有パスワードと一致する共有パスワードが撮像装置８ｂｃｄから受信できたか否かを判定する（ステップＳ５）。ここで、スマートフォン８ｄからは画像データα´に関連付けられている共有パスワード「１２３４５」と一致する共有パスワードが受信できないため（ステップＳ５：Ｎｏ）、ＣＰＵ２０は、デジタルカメラ８ｄに対する画像αの共有を許可しない（ステップＳ６）。
【００３１】
一方、デジタルカメラ８ｂ、及びスマートフォン８ｃからは画像データα´に関連付けられている共有パスワード「１２３４５」と一致する共有パスワード「１２３４５」が受信できているため（ステップＳ５：Ｙｅｓ）、ＣＰＵ２０は、デジタルカメラ８ｂ、及びスマートフォン８ｃに対して画像αの共有を許可する（ステップＳ７）。例えば、デジタルカメラ８ｂ、及びスマートフォン８ｃのＬＣＤ表示部３８に画像αを表示させ、ユーザＢ、ユーザＣがデジタルカメラ８ｂ、スマートフォン８ｃで画像投稿サイトに投稿された画像αを閲覧できるようにする。
【００３２】
この第１の実施の形態に係る画像共有システム２によれば、所定のイベントに出かけた際の位置情報、日時情報を照合した上で、更に画像の共有させたいユーザに通知した共有パスワードを照合して画像共有の許否を判定するため、所定のイベントに出かけた際に一緒に行動したユーザだけに画像を共有させることができる。
【００３３】
なお、上述の第１の実施の形態において、画像共有の許否の判定に必要な条件を更に追加してもよい。例えば、ステップＳ５において、画像データα´に関連付けられている共有パスワード「１２３４５」がデジタルカメラ８ｂとスマートフォン８ｃから受信できたとする。この場合、画像共有サーバ４のＣＰＵ２０は、デジタルカメラ８ｂのユーザＢ、及びスマートフォン８ｃのユーザＣの顔の特徴情報を個人情報記憶部２４から検出する。なお、画像投稿サイトへのアクセスの際には、ＩＤ、パスワード等の個人認証が行われ、ユーザＢ、及びユーザＣからアクセスがなされたことが特定される。
【００３４】
次に、ＣＰＵ２０は、顔認識部２８により画像データα´から人物の顔を認識し、人物の顔が認識できた場合には、個人情報記憶部２４に記憶されている顔の特徴情報に基づいて、ユーザＢ、またはユーザＣの顔が画像データα´に含まれているか否かを判定する。ここで、画像データα´にユーザＢとユーザＣの両方の顔が含まれていた場合、ＣＰＵ２０は、ユーザＢとユーザＣの両方に画像αの共有を許可し、画像データα´にユーザＢとユーザＣの何れの顔も含まれていない場合、ユーザＢとユーザＣの何れにも画像αの共有を許可しない。
【００３５】
一方、画像データα´にユーザＢの顔は含まれているが、ユーザＣの顔が含まれていない場合、ＣＰＵ２０は、ユーザＢにのみ画像αの共有を許可し、ユーザＣには画像αの共有を許可しない。同様に、画像データα´にユーザＣの顔は含まれているが、ユーザＢの顔が含まれていない場合、ユーザＣにのみ画像αの共有を許可し、ユーザＢには画像αの共有を許可しない。これにより、友人グループＸ（図４参照）に属していても画像αに写っていないユーザには画像を共有させないようにすることができ、更に画像共有システム２のセキュリティーを向上させることができる。
【００３６】
また、上述の第１の実施の形態において、画像の共有を許可された場合に、画像をダウンロードできるようにし、画像の共有を許可されない場合には、画像をダウンロードできないようにしてもよい。これにより、イベント時に一緒に行動していない家族や仲間以外のユーザに画像が不正に利用されることを防止することができる。
【００３７】
また、上述の第１の実施の形態においては、画像共有の許否の判断材料として文字情報である共有パスワードを用いる場合を例に説明しているが、画像共有の許否の判断材料は文字情報に限定されない。例えば、ユーザが選択した画像やアイコン等を用いて画像共有の許否を判断してもよい。また、ユーザがタッチパネル３９をなぞって描いた絵や記号等を用いて画像共有の許否を判断してもよい。
【００３８】
また、上述の第１の実施の形態において、ユーザＡが画像を撮像する度に異なる共通パスワードを入力し、ユーザＢとユーザＣに通知してもよい。この場合、ユーザＢ、ユーザＣが画像投稿サイトに投稿された画像を閲覧するためには、それぞれの画像に対応する共通パスワードが必要となる。
【００３９】
また、ユーザＡが予め共有パスワードを個人情報として個人情報記憶部２４に記憶させておき、ユーザＡが画像を画像投稿サイトに投稿する都度、投稿された画像の画像データに個人情報記憶部２４に記憶されている共有パスワードが関連付けられるようにしてもよい。この場合、ユーザＢ、ユーザＣは、一度ユーザＡから共有パスワードを通知されれば、いつでも同じ共有パスワードを使ってユーザＡが画像投稿サイトに投稿した画像を閲覧することができる。
【００４０】
また、上述の第１の実施の形態において、共有パスワードに有効期限を設け、例えば、共有パスワードを通知してから１週間が経過すると、共有パスワードを使っても画像が閲覧できなくなるようにしてもよい。
【００４１】
（第２の実施の形態）
以下、図面を参照して第２の実施の形態に係る画像共有システムについて説明する。従来、コンテンツがサーバにアップロードされた場合に、時刻情報と位置情報に基づいて生成された行動ＩＤを端末から取得し、行動ＩＤに対応付けてコンテンツを登録するコンテンツ共有システムが知られている（例えば、特開２０１３−１０５４２２参照）。このコンテンツ共有システムによれば、他の端末を所持するユーザは、コンテンツに対応付けられた行動ＩＤと同一の行動ＩＤをサーバに送信することにより、サーバにアップロードされたコンテンツを共有することができる。
【００４２】
ところで、このコンテンツ共有システムにおいて、コンテンツに対応付けられた行動ＩＤと同一の行動ＩＤをユーザが取得するためには、コンテンツをアップロードした投稿者と始終一緒に行動する必要があった。
【００４３】
このため、ユーザが投稿者と一緒に行動していなかった期間が存在する場合には、ユーザの行動ＩＤが投稿者の行動ＩＤと一致しなくなり、ユーザはコンテンツを共有することができなくなるという問題があった。
【００４４】
第２の実施の形態に係る発明の目的は、一緒に行動したユーザに対して的確に画像を共有させることができる画像共有サーバを提供することである。
【００４５】
図６は、第２の実施の形態に係る画像共有システム１０２の構成を示す図である。画像共有システム１０２は、画像共有の許否を判定する画像共有サーバ１０４を備え、画像共有サーバ１０４はネットワーク１０６を介して撮像装置１０８と通信可能に接続されている。
【００４６】
ここで、撮像装置１０８には、デジタルカメラ１０８ａ、スマートフォン１０８ｂ、スマートフォン１０８ｃ、デジタルカメラ１０８ｄ、…、の複数の撮像装置が含まれている。なお、デジタルカメラ１０８ａ、スマートフォン１０８ｂ、スマートフォン１０８ｃ、デジタルカメラ１０８ｄ、…、は一例を示したものであり、これ以外に、タブレット端末や携帯電話等が撮像装置１０８に含まれていてもよい。
【００４７】
図７は、第２の実施の形態に係る画像共有サーバ１０４の構成を示すブロック図である。画像共有サーバ１０４は、撮像装置１０８からの画像投稿を受け付ける画像投稿サイト（図示せず）を提供するサーバであり、画像共有サーバ１０４の各部を統括的に制御するＣＰＵ１２０を備えている。ＣＰＵ１２０には、ネットワーク１０６を介して撮像装置１０８との通信を行う通信部１２２、各撮像装置１０８のアドレス等の個人情報を記憶する個人情報記憶部１２４、ネットワーク１０６を介して撮像装置１０８から新規にアップロードされた画像の画像データを一時的に記憶する画像記憶部１２６、及び撮像装置１０８から受信したログデータ（後述）を記憶する情報記憶部１２８、画像データを記憶する画像データベース１２９が接続されている。
【００４８】
図８は、第２の実施の形態に係る撮像装置１０８の構成を示すブロック図である。撮像装置１０８は、撮像装置１０８の各部を統括的に制御するＣＰＵ１３０を備えている。ＣＰＵ１３０には、ネットワーク１０６を介して画像共有サーバ１０４との間で通信を行う通信部３２、ＧＰＳ衛星から受信した信号に基づいて現在位置を測位するＧＰＳ１３４、ＧＰＳ１３４により測位された現在位置の位置情報を測位日時の日時情報と共にログデータとして記憶するログデータ記憶部１３６、ＬＣＤ表示部１３８、被写体光を撮像して撮像信号を生成する撮像素子１４１、撮像素子１４１から出力された撮像信号により生成された画像データを一時的に記憶する画像記憶部１４２、及び画像データを記憶するメモリカード１５２を装着するメモリカードスロット１５３が接続されている。
【００４９】
次に、図面を参照して、第２の実施の形態に係る画像共有サーバ１０４が提供する画像投稿サイトに画像がアップロードされるまでの一連の流れについて説明する。なお以下では、デジタルカメラ１０８ａを所持するユーザＯＡ、及びスマートフォン１０８ｂを所持するユーザＯＢが２０１４年４月２０日に目的地であるＨ空港に一緒に出かけた場合を例に説明する。
【００５０】
まず、ユーザＯＡとユーザＯＢは一緒に出かける際に、それぞれデジタルカメラ１０８ａ、スマートフォン１０８ｂのモードをログデータを取得するログモードに設定する。ログモードが設定されると、デジタルカメラ１０８ａとスマートフォン１０８ｂのＣＰＵ１３０は、それぞれＧＰＳ１３４により現在位置の測位を行うことにより位置情報の取得を開始し、取得した位置情報を日時情報と共にログデータとしてログデータ記憶部１３６に記憶する。
【００５１】
次に、ユーザＯＡとユーザＯＢは、図９に示すように、１０：００前にＨ空港に到着し、来日した韓流スターを一目見るためにしばらくの間Ｈ空港に滞在する。ここで、Ｈ空港は、緯度Ｅｘｘｘ、経度Ｗｘｘｘの場所に位置している。
【００５２】
この間にユーザＯＡによりデジタルカメラ１０８ａにより韓流スターの画像が撮像されると、デジタルカメラ１０８ａのＣＰＵ１３０は、撮像された画像の画像データを画像記憶部１４２に一旦記憶した後、画像データをＥｘｉｆ等の所定のファイル形式でメモリカード１５２に記憶する。
【００５３】
次に、ユーザＯＡとユーザＯＢはＨ空港から移動し、図１０に示すように、緯度Ｅｙｙｙ、経度Ｗｙｙｙの場所に位置するＪレストランに１２：００前に到着する。そして、二人はＪレストランで一緒に食事を採る。
【００５４】
次に、ユーザＯＡとユーザＯＢは、図１１に示すように別々のルートで帰宅する。ここで、タクシーで帰宅したユーザＯＡは１５：００前に途中下車し、緯度Ｅａａａ、経度Ｗａａａの場所の店でしばらく買い物をする。なお、電車で帰宅したユーザＯＢは、１５：００の時点で緯度Ｅｂｂｂ、経度Ｗｂｂｂの場所に位置している。
【００５５】
次に、図１２に示すフローチャートを参照して、画像投稿サイトに画像がアップロードされた際の処理について説明する。まず、ユーザＯＡは、デジタルカメラ１０８ａから画像投稿サイトへアクセスし、メモリカード１５２に記録されている画像データの中から一枚または複数枚の画像データを選択して投稿サイトにアップロードする。ここで、ユーザＯＡは、画像をアップロードする際に、ログデータ記憶部１３６に記憶されている２０１４年４月２０日のログデータＸを併せてアップロードする。
【００５６】
次に、画像共有サーバ１０４のＣＰＵ１２０は、画像投稿サイトにアップロードされた画像の画像データを画像記憶部１２６に記憶し、画像データと共にアップロードされたログデータＸを情報記憶部１２８に記憶する（ステップＳ１０１）。
【００５７】
次に、ＣＰＵ１２０は、デジタルカメラ１０８ａが所定の時間を超えて一定の場所に位置していた時間帯をログデータＸから検出する（ステップＳ１０２）。例えば、ユーザＯＡがＨ空港に滞在していた時間帯、ユーザＯＡがＪレストランで食事をしていた時間帯、及びユーザＯＡが買い物をしていた時間帯をそれぞれログデータＸから検出する。
【００５８】
次に、ＣＰＵ１２０は、ステップＳ１０２で検出した時間帯の中から区切りのいい時間として、例えば、分単位の時間が００になる、２０１４年４月２０日１０：００、１２：００、１５：００を特定する。
【００５９】
次に、ＣＰＵ１２０は、特定した時間の日時情報、及び特定した時間にデジタルカメラ１０８ａが位置していた場所の位置情報を、共有許可条件（画像の共有を許可する撮像装置１０８のログデータに必ず含まれていなければならない日時情報と位置情報）の候補となる候補データとしてログデータＸから抽出する（ステップＳ１０３）。例えば、ＣＰＵ１２０は、日時情報「2014/04/20 10:00」と位置情報「Exxx,Wxxx」、日時情報「2014/04/20 12:00」と位置情報「Eyyy,Wyyy」、及び日時情報「2014/04/20 15:00」と位置情報「Eaaa,Waaa」を候補データとして、それぞれログデータＸから抽出する。
【００６０】
次に、ＣＰＵ１２０は、図１３に示すように、抽出された候補データに基づく日時と位置の組合せをそれぞれ共有許可条件の候補として、デジタルカメラ１０８ａのＬＣＤ表示部１３８に表示する（ステップＳ１０４）。なお、日時と位置の組合せの左側には候補番号が表示され、位置と日時組合せの右側には、共有許可条件として指定する候補をチェックするチェック欄が表示される。
【００６１】
ここで、ユーザＯＡにより、候補番号「１」の組合せと候補番号「２」の組合せがチェックされた場合、ＣＰＵ１２０は、候補番号「１」の日時「２０１４年４月２０日１０：００」、位置「緯度Ｅｘｘｘ、経度Ｗｘｘｘ」、及び候補番号「２」の日時「２０１４年４月２０日１２：００」、位置「緯度Ｅｙｙｙ、経度Ｗｙｙｙ」を共有許可条件として決定する（ステップＳ１０５）。
【００６２】
次に、ＣＰＵ１２０は、画像記憶部１２６に記憶されている画像データを読み出し、共有許可条件として決定された日時情報「2014/04/20 10:00」と位置情報「Exxx,Wxxx」の組合せ、及び日時情報「2014/04/20 12:00」と位置情報「Eyyy,Wyyy」の組合せをそれぞれ画像データに関連付けた後、画像データを画像データベース１２９に記憶する（ステップＳ１０６）。
【００６３】
次に、図１４に示すフローチャートを参照し、第２の実施の形態に係る画像共有システム１０２における画像共有処理について、画像投稿サイトにアップロードされた画像の一つである画像α１の共有をユーザＯＢが希望する場合を例に説明する。
【００６４】
まず、ユーザＯＢが、スマートフォン１０８ｂから画像投稿サイトへアクセスすると、画像共有サーバ１０４のＣＰＵ１２０は、ＬＣＤ表示部１３８にアップロードされた画像のリストを表示する。この場合、例えば、アップロードされた画像そのものは表示されず、画像のタイトルのみがリスト表示される。
【００６５】
次に、ユーザＯＢの操作により、画像α１のタイトルが選択されると、ＣＰＵ１２０は、「ログデータを送信してください」等のメッセージをＬＣＤ表示部１３８に表示する。ここで、ユーザＯＢは、ログデータ記憶部１３６に記憶されているログデータＹをネットワーク１０６を介して画像共有サーバ１０４に送信する。
【００６６】
画像共有サーバ１０４のＣＰＵ１２０は、スマートフォン１０８ｂからログデータＹを受信すると（ステップＳ１１１）、ログデータＹが画像α１の共有許可条件を満たすか否かを判定する（ステップＳ１１２）。即ち、ＣＰＵ１２０は、画像α１の画像データに関連付けられた日時情報、位置情報の組合せの全てがログデータＹに含まれるか否かを判定する。
【００６７】
ここで、ユーザＯＢは、２０１４年４月２０日１０：００にＨ空港の場所である「緯度Ｅｘｘｘ、経度Ｗｘｘｘ」に位置しており、かつ２０１４年４月２０日１２：００にＪレストランの場所である「緯度Ｅｙｙｙ、経度Ｗｙｙｙ」に位置している。このため、ログデータＹには、共有許可条件として決定された日時情報「2014/04/20 10:00」と位置情報「Exxx,Wxxx」の組合せ、及び日時情報「2014/04/20 12:00」と位置情報「Eyyy,Wyyyの組合せの全てが含まれ、ログデータＹは共有許可条件を満たすと判定される。
【００６８】
ログデータが共有許可条件を満たす場合（ステップＳ１１２：Ｙｅｓ）、ＣＰＵ１２０は、スマートフォン１０８ｂに対して画像α１の共有を許可する（ステップＳ１１３）。例えば、スマートフォン１０８ｂのＬＣＤ表示部１３８に画像α１を表示させ、ユーザＯＢがスマートフォン１０８ｂで画像投稿サイトにアップロードされた画像α１を閲覧できるようにする。
【００６９】
なお、ログデータが共有許可条件を満たさない場合（ステップＳ１１２：Ｎｏ）、ＣＰＵ１２０は、スマートフォン１０８ｂに対して画像α１の共有を許可しない（ステップＳ１１４）。例えば、ユーザＯＡ、ユーザＯＢと同じ時間にＨ空港で撮影を行っていたユーザＣ（図９参照）が、ログデータＺをスマートフォン１０８ｃから画像共有サーバ１０４に送信したとする。ここでユーザＣは、ユーザＯＡとユーザＯＢがＪレストランで食事をしていた時間にはまだＨ空港に滞在していたとする。この場合、ログデータＺには、共有許可条件として決定された日時情報「2014/04/20 12:00」と位置情報「Eyyy,Wyyy」の組合せが含まれていないため、ログデータＺは共有許可条件を満たさず、ユーザＣの所持するスマートフォン１０８ｃに対しては画像α１の共有の許可はなされない。
【００７０】
画像α１の共有の許可がなされない場合、例えば、ＣＰＵ１２０は、スマートフォン１０８ｂのＬＣＤ表示部１３８に画像α１を表示させず、ユーザＯＢがスマートフォン１０８ｂで画像α１を閲覧できないようにする。
【００７１】
この第２の実施の形態に係る画像共有サーバ１０４によれば、ユーザＯＡがユーザＯＢと一緒に行動していた時間と場所の組合せを共有許可条件として指定することにより、ログデータに含まれる全ての時間と場所が一致していなくても画像の共有を許可することができるため、ユーザＯＡと一緒に行動したユーザＯＢに対して的確に画像を共有させることができる。
【００７２】
また、撮像装置１０８がログデータを記録する機能を備えていれば画像共有システム１０２を利用することができるため、ユーザは、従来のように行動ＩＤを生成する特殊な機能を備えた撮像装置を用意しなくても容易に画像を共有することができる。
【００７３】
なお、上述の第２の実施の形態において、画像の共有が許可された場合に画像をダウンロードできるようにし、画像の共有が許可されない場合には画像をダウンロードできないようにしてもよい。これにより、イベント等において一緒に行動していなかった家族や仲間以外のユーザに画像が不正に利用されることを防止することができる。
【００７４】
また、上述の第２の実施の形態において、同時にアップロードされた複数の画像の共有を許可するようにしてもよい。例えば、ステップＳ１０１において、画像α１の他に画像β１、画像γ１が画像投稿サイトにアップロードされ、共有許可条件として決定された日時情報と位置情報の組合せが画像α１の画像データ、画像β１の画像データ、及び画像γ１の画像データにそれぞれ関連付けられたとする。ここで、ユーザＯＢが、スマートフォン１０８ｂから画像投稿サイトへアクセスし、スマートフォン１０８ｂに対して画像α１の共有が許可された場合、ＣＰＵ１２０は、画像α１と同一の日時情報と位置情報の組合せが画像データに付加されている画像β１と画像γ１についても同時に共有を許可する。これによりユーザＯＢは、閲覧したい画像のタイトルを選択する都度ログデータＹを送信する必要がなく、ユーザＯＡのアップロードした複数の画像を容易に閲覧することができる。
【００７５】
また、画像α１の共有が許可された場合に、デジタルカメラ１０８ａからアップロードされた全ての画像の共有を許可するようにしてもよい。例えば、ユーザＯＡが画像を撮像する都度画像データにデジタルカメラ１０８ａのアドレスを付加しておき、画像α１の共有が許可されると、ＣＰＵ１２０は、画像データにデジタルカメラ１０８ａのアドレスが付加された画像の全てについて共有を許可する。
【００７６】
また、この場合、画像をアップロードしたユーザが、画像の共有許可の態様を設定できるようにしてもよい。例えば、選択された画像のみの共有を許可するか、選択された画像と同時にアップロードされた複数の画像の共有を許可するか、またはデジタルカメラ１０８ａからアップロードされた全ての画像の共有を許可するかの何れかの共有許可の態様をユーザＯＡが設定できるようにする。なお、ユーザＯＡは、個人情報記憶部１２４に共有許可の態様に関する情報を予め登録しておく。そして、スマートフォン１０８ｂにおいて画像α１が選択され、画像α１の共有が許可された場合、ＣＰＵ１２０は、個人情報記憶部１２４に登録されている共有許可の態様に従って他の画像の共有許否を判定する。
【００７７】
また、上述の第２の実施の形態において、候補データをログデータＸから抽出する場合には、抽出する日時の間隔が狭くなり過ぎないようにする。例えば、ステップＳ１０２において、近接する時間帯が断続的に複数検出された場合には、候補データとして抽出する日時情報を取捨選択し、隣接する時間同士の間隔が所定の時間以上空くようにする。これにより、共有許可条件の候補となる位置、日時の組合せの数を抑制することができ、ユーザが共有許可条件を指定する際の負担を軽減することができる。また、ログデータＹを受信した際に照合する位置、日時の組合せが少なくなるため、迅速に共有許否の判定を行うことができる。
【００７８】
同様に、抽出する位置の間隔が狭くなり過ぎないようにしてもよい。例えばステップＳ１０２において、近接する位置が複数検出された場合には、候補データとして抽出する位置情報を取捨選択し、隣接する位置同士の間隔が所定の距離以上空くようにする。これにより、共有許可条件の候補となる位置が狭い範囲に集中することを防止することができる。
【００７９】
また、上述の第２の実施の形態のステップＳ１０２において、ログデータＸが途切れている場合、記録が途切れている時間帯をログデータＸから検出し、候補データに含めてもよい。ここで、ログデータＸが途切れる場合としては、例えば、ユーザＯＡがトンネルに入った時にＧＰＳ信号が受信できなくなり位置情報が取得されなくなった場合等が考えられる。
【００８０】
この場合、ログデータＸの記録が途切れている時間帯が共有許可条件として指定されると、ＣＰＵ１２０は、指定された時間帯を共有許可条件として決定し、アップロードされた画像データに関連付ける。そして、スマートフォン１０８ｂから受信したログデータＹがログデータＸと同じ時間帯に途切れていた場合には、スマートフォン１０８ｂに対して画像の共有を許可する。
【００８１】
また、上述の第２の実施の形態において、ＧＰＳ１３４から取得された位置情報と日時情報を撮像された画像の画像データにタグ情報として付加し、画像データに付加された位置情報と日時情報の組合せを共有許可条件に含めるようにしてもよい。これにより、ユーザＯＡは、常に画像撮像時の位置と時間を共有許可条件とすることができ、画像撮像時に一緒に行動していたユーザにしか画像を閲覧させないようにすることができる。
【００８２】
また、上述の第２の実施の形態においては、画像のタイトルのみが画像投稿サイトにリスト表示される場合を例に説明しているが、画像のサムネイル画像を表示するようにしてもよい。この場合、デジタルカメラ１０８ａのＣＰＵ１３０は、画像が撮像された際に、撮像された画像の画像データに基づいてサムネイル画像データを生成し、生成されたサムネイル画像データを画像データに付加する。
【００８３】
また、上述の第２の実施の形態において、撮像装置１０８の現在位置は必ずしもＧＰＳを用いて測位する必要はなく、複数の航法衛星から受信した信号に基づいて現在位置を測位する機能を備えた他の測位装置を用いてもよい。
【００８４】
（第３の実施の形態）
以下、図面を参照して第３の実施の形態に係る画像共有システムについて説明する。従来、ユーザの行動記録に基づいて、行動を共にしたグループに属する人物だけで写真などのコンテンツを共有する画像共有システムが知られている（例えば、特開２０１３−１０５４２２参照）。
【００８５】
しかしながら、この画像共有システムにおいては、画像をサーバにアップロードした場合、行動を共にしたグループに属する人物全員に画像が公開されるため、人物の親密度合に応じて画像の公開範囲を調整することができないという問題があった。
【００８６】
第３の実施の形態に係る発明の目的は、人物の親密度合に応じて画像の公開範囲を調整することができる撮像装置、及び画像共有システムを提供することである。
【００８７】
以下、図面を参照して第３の実施の形態に係る画像共有システムについて説明する。図１５は、実施の形態に係る画像共有システム３０１の構成を示す図である。画像共有システム３０１は、撮像装置３０２を備え、撮像装置３０２はネットワーク３０３を介して所定のソーシャル・ネットワーキング・サービスのサイト（以下、ＳＮＳサイトという。）を提供する画像共有サーバ３０４と通信可能に接続されている。
【００８８】
ここで、撮像装置３０２には、ユーザ甲が所有するデジタルカメラ３０２ａ、ユーザ甲の友人乙が所有するデジタルカメラ３０２ｂ、ユーザ甲の友人丙が所有するスマートフォン３０２ｃ、ユーザ甲の友人丁が所有するスマートフォン３０２ｄ、ユーザ甲の友人戊が所有するタブレット端末３０２ｅ、ユーザ甲の友人巳が所有するタブレット端末３０２ｆ、…、等の複数の撮像装置が含まれている。
【００８９】
図１６は、第３の実施の形態に係る撮像装置３０２の構成を示すブロック図である。撮像装置３０２は、撮像装置３０２の各部を統括的に制御するＣＰＵ３２０を備えている。ＣＰＵ３２０には、電源スイッチ（図示せず）、シャッタボタン（図示せず）等を含む操作部３３２、ネットワーク３０３を介して画像共有サーバ３０４との間で通信を行う通信部３３４、ＬＣＤ表示部３３６、ＬＣＤ表示部３８に表示される選択画面が指等でタッチされたことを検出するタッチパネル３３７、被写体光を撮像して撮像信号を生成する撮像素子３３８、撮像素子３３８から出力された撮像信号により生成された画像データを一時的に記憶する画像記憶部３３９、画像データから人物の顔を認識する顔認識部３４０、人物の顔の特徴に関する顔特徴データを記憶する情報記憶部３４２、後述する親密度ファイルを記憶する親密度記憶部３４４、及び画像データを記憶するメモリカード３４６を装着するメモリカードスロット３４８が接続されている。
【００９０】
ここで、情報記憶部３４２に記憶されている顔特徴データには、その特徴の顔を含む画像が撮影された撮影回数が関連付けられている。また、親密度記憶部３４４に記憶されている親密度ファイルには、撮像装置３０２のユーザに対する各友人の親密度が友人のＳＮＳサイトにおけるＩＤと関連付けて記録されている。例えば、デジタルカメラ３０２ａの親密度ファイルには、図１７に示すように、ＩＤ「１１１１」の友人の親密度「４９」、ＩＤ「２２２２」の友人の親密度「２０」、ＩＤ「３３３３」の友人の親密度「１５」、ＩＤ「４４４４」の友人の親密度「１０」、ＩＤ「５５５５」の友人の親密度「５」のように記録されている。なお、ＩＤとは、ＳＮＳサイト内において各ユーザのアカウントに割り当てられた個別の情報である。
【００９１】
図１８は、第３の実施の形態に係る画像共有サーバ３０４の構成を示すブロック図である。画像共有サーバ３０４は、画像共有サーバ３０４の各部を統括的に制御するＣＰＵ３６０を備えている。ＣＰＵ３６０には、ネットワーク３０３を介して撮像装置３０２との通信を行う通信部３６２、各ユーザの個人情報ファイルを記憶する個人情報記憶部３６４、ネットワーク３０３を介して投稿された画像の画像データを記憶する画像記憶部３６６、及び画像データから人物の顔を認識する顔認識部３７０が接続されている。ここで、個人情報ファイルには、ユーザ名、ＩＤ、ユーザの所有する撮像装置３０２のアドレス、ユーザの顔の顔特徴情報、及び後述する公開範囲テーブルのデータが記憶されている。
【００９２】
次に、図１９に示すフローチャートを参照して、第３の実施の形態に係る画像共有システム３０１の処理について説明する。なお以下では、ユーザ甲がデジタルカメラ３０２ａで友人乙の画像γを撮影し、画像γをＳＮＳサイトにアップロードする場合を例に説明を行う。
【００９３】
まず、デジタルカメラ３０２ａにより画像γが撮影された場合（ステップＳ３０１）、ＣＰＵ３２０は、顔認識部２０により画像γの画像データから友人乙の顔を検出し、検出した顔の特徴情報δを抽出する（ステップＳ３０２）。
【００９４】
次に、ＣＰＵ３２０は、抽出した顔の特徴情報δと一致する顔特徴データを情報記憶部３４２に記憶されている顔特徴データの中から検索する。ここで、顔の特徴情報δと一致する顔特徴データｍが検索された場合、ＣＰＵ３２０は、顔特徴データｍに関連付けられている撮影回数を更新する（ステップＳ３０３）。例えば、顔特徴データｍに撮影回数「４９」が関連付けられていたとする。この場合、ＣＰＵ３２０は、撮影回数「４９」を一回分加算し、撮影回数「５０」に更新する。なお、顔特徴データｍには、友人乙を特定する情報等は関連付けられておらず、この時点で友人乙が撮影されたことは認識されない。
【００９５】
次に、ＣＰＵ３２０は、更新された撮影回数に基づいて、撮影された友人の親密度を算出する（ステップＳ３０４）。例えば、顔特徴データｍに撮影回数「５０」が関連付けられている場合、画像γに写された友人のユーザ甲に対する親密度を親密度「５０」と算定する。なお、親密度を算出する場合には、後述するように、撮影回数に所定の係数を乗じた値を親密度として算出してもよい。
【００９６】
次に、ＣＰＵ３２０は、通信部３３４により、ネットワーク３０３を介して画像共有サーバ３０４に顔の特徴情報δを送信する（ステップＳ３０５）。画像共有サーバ３０４のＣＰＵ３６０は、顔の特徴情報δを受信すると、顔の特徴情報δと一致する顔特徴情報を含む個人情報ファイルを情報記憶部３４２から検索する。次に、ＣＰＵ３６０は、検索された個人情報ファイルに記憶されているＩＤを検出する。これにより、画像γに写された友人乙のＳＮＳサイトにおけるＩＤ「１１１１」が特定される。
【００９７】
次に、ＣＰＵ３６０は、通信部３６２により、ＩＤ「１１１１」をデジタルカメラ３０２ａに送信する。
【００９８】
デジタルカメラ３０２ａのＣＰＵ３２０は、ＩＤ「１１１１」を受信すると（ステップＳ３０６）、ＩＤ「１１１１」に顔の特徴情報δを関連付けた後（ステップＳ３０７）、親密度記憶部３４４に記憶されている親密度を更新する（ステップＳ３０８）。例えば、友人乙のＩＤ「１１１１」に対応する親密度が「４９」であったとする（図１７参照）。ここで、顔の特徴情報δと一致する顔特徴情報ｍに関連付けられている撮影回数が「５０」である場合、ＣＰＵ３２０は、ＩＤ「１１１１」の友人の親密度「４９」を親密度「５０」に更新する。
【００９９】
次に、ＣＰＵ３２０は、更新された親密度ファイルを参照し、図２０に示すランキングテーブルを作成する（ステップＳ３０９）。ここで、ランキングテーブルを作成する場合、ＣＰＵ３２０は、まずＩＤのランキング分類を行う。例えば、図２０に示すように、親密度が５０以上のＩＤを親密ランク「３」にそれぞれ分類し、親密度が２０以上５０未満のＩＤを親密ランク「２」に分類し、親密度が０以上２０未満のＩＤを親密ランク「１」に分類する。ここで、親密ランクの閾値については、ユーザ甲が任意に設定することができる。
【０１００】
このランキング分類の結果、親密度「５０」であるＩＤ「１１１１」は親密ランク「３」に分類され、親密度「２０」であるＩＤ「２２２２」は親密ランク「２」に分類される。また、親密度「１５」であるＩＤ「３３３３」、親密度「１０」であるＩＤ「４４４４」、親密度「５」であるＩＤ「５５５５」は、それぞれ親密ランク「１」に分類される。
【０１０１】
次に、ＣＰＵ３２０は、作成したランキングテーブルを画像共有サーバ３０４に送信する（ステップＳ３１０）。
【０１０２】
画像共有サーバ３０４のＣＰＵ３６０は、ランキングテーブルを受信すると、ランキングテーブルに基づいて、図２１に示すように、画像γの公開範囲の候補を複数表示する公開範囲テーブルを作成する。
【０１０３】
公開範囲テーブルを作成する場合、ＣＰＵ３６０は、まず、ランキングテーブルの親密ランクに基づいて、公開範囲のランクを示す公開ランクを決定する。例えば、親密ランク「３」に対応する公開ランクを公開ランク「３」とし、親密ランク「２」に対応する公開ランクを公開ランク「２」とし、親密ランク「１」に対応する公開ランクを公開ランク「１」とする。
【０１０４】
また、ＣＰＵ３６０は、個人情報ファイルを参照し、ランキングテーブルに記録されたＩＤのユーザ名を特定する。即ち、ＩＤ「１１１１」の友人を「乙さん」、ＩＤ「２２２２」の友人を「丙さん」、ＩＤ「３３３３」の友人を「丁さん」、ＩＤ「４４４４」の友人を「戊さん」、ＩＤ「５５５５」の友人を「巳さん」と特定する。
【０１０５】
次に、ＣＰＵ３６０は、各公開ランクの公開範囲を確定する。例えば、図２１に示すように、公開ランク「３」の公開範囲に、ランキングテーブル（図２０参照）で親密ランク「３」に分類されたＩＤ「１１１１」の友人「乙さん」を割り当てる。
【０１０６】
また、公開ランク「２」の公開範囲に、ランキングテーブルにおいて親密ランク「２」に分類されたＩＤ「２２２２」の友人「丙さん」を割り当てると共に、公開ランク「２」よりも上位の公開ランク「３」の友人「乙さん」を再び割り当てる。
【０１０７】
同様にして、公開ランク「１」の公開範囲に、ランキングテーブルにおいて親密ランク「１」に分類されたＩＤ「２２２２」の友人「丙さん」、ＩＤ「３３３３」の友人「丁さん」、ＩＤ「４４４４」の友人を「戊さん」、及びＩＤ「５５５５」の友人「巳さん」を割り当てると共に、公開ランク「１」よりも上位の公開ランク「３」、「２」の友人「乙さん」、「丙さん」を再び割り当てる。なお、公開ランク「１」の公開範囲には、「他」として、ランキングテーブルに記録されていない人物も含まれるようにする。
【０１０８】
公開範囲テーブルが完成すると、ＣＰＵ３６０は、この公開範囲テーブルをユーザ甲の個人情報ファイルに記憶されている既存の公開範囲テーブルに上書き更新する。
【０１０９】
次に、ユーザ甲がＳＮＳサイトにおける自己のページ甲にアクセスする操作を行うと、ＬＣＤ表示部３３６にページ甲が表示される。次に、ユーザ甲がページ甲を見ながらステップＳ３０１で撮影した画像γをアップロードする操作を行うと、通信部３３４により、画像データが画像共有サーバ３０４に送信される。
【０１１０】
画像共有サーバ３０４のＣＰＵ３６０は、画像データを受信すると、“アップロードする画像の公開範囲を選択してください”等のメッセージをＬＣＤ表示部３３６に表示させた後、図２１に示す公開範囲テーブルを選択画面として表示させる。なお、メッセージ、及び公開範囲テーブルは、画像共有サーバ３０４の通信部３６２によりデジタルカメラ３０２ａに送信され、デジタルカメラ３０２ａの通信部３３４によって受信された後、ＬＣＤ表示部３３６に表示される。
【０１１１】
次に、ユーザ甲によるタッチパネル３３７等の操作により、画像γの公開ランクが選択されると、ＣＰＵ３６０は、選択された公開ランクに対応する公開範囲に含まれる友人、及びユーザ甲のみに画像γの公開を許可し、それ以外のユーザへの公開を禁止する。
【０１１２】
例えば、公開ランク「３」が選択された場合、ＣＰＵ３６０は、ユーザ甲とその友人乙のみに画像γの公開を許可する。即ち、ユーザ乙の所持するデジタルカメラ３０２ｂからページ甲へのアクセスがなされた場合、ＣＰＵ３６０は、ユーザ乙の個人情報ファイルに記憶されているデジタルカメラ３０２ｂのアドレスに画像γの画像データを送信し、ユーザ乙がデジタルカメラ３０２ｂのＬＣＤ表示部３３６で画像γを閲覧できるようにする。
【０１１３】
一方、ユーザ甲とその友人乙以外のユーザへの公開は禁止される。例えば、友人丙の所持するスマートフォン３０２ｃからページ甲へのアクセスがなされた場合、ＣＰＵ３６０は、スマートフォン３０２ｃのアドレスには画像データを送信せず、友人丙がスマートフォン３０２ｃのＬＣＤ表示部３３６で画像γを閲覧できないようにする。
【０１１４】
また、公開ランク「２」が選択された場合、ＣＰＵ３６０は、ユーザ甲、友人乙、及び友人丙に画像γの公開を許可し、それ以外のユーザは画像γを閲覧できないようにする。
【０１１５】
また、公開ランク「１」が選択された場合、ＣＰＵ３６０は、特に公開範囲を制限することなく、ＳＮＳサイトにアクセスした全てのユーザが画像γを閲覧できるようにする。
【０１１６】
この第３の実施の形態に係る撮像装置３０２、及び画像共有システム３０４によれば、ユーザ甲が友人を撮影した画像をＳＮＳサイトにアップロードする場合、ユーザ甲は公開範囲テーブルを見て画像γがどの友人に公開されるのか公開範囲を確認しながら公開ランクを選択することができるため、友人の親密度に応じて画像γの公開範囲を調整することができる。
【０１１７】
例えば、撮影対象である友人乙だけに画像γを公開したい場合には公開ランク「３」を選択し、ユーザ乙と仲の良いユーザ丙にも画像γを公開したい場合には公開ランク「２」を選択し、画像γを一般的に公開したい場合には公開ランク「１」を選択する等、画像γの公開範囲をユーザ甲の希望に合わせて調整することができる。
【０１１８】
また、集合写真は一緒に旅行した仲間全員に公開したいが、その他の画像は一部の親密な友人のみに公開したい場合などにもこの技術を応用することができる。
【０１１９】
なお、上述の第３の実施の形態において、親密度に重み付けを行ってもよい。例えば、親密度を算出する際に、画像γのサイズに対する人物の顔のサイズの割合（以下、顔割合という。）を重み付けに用いる係数として決定する。具体的には、図２２に示すように、顔割合が０．５以上の場合は係数を１．５と決定し、顔割合が０．１以上０．５未満の場合は係数を１．２と決定し、顔割合が０．１未満の場合は係数を１．０と決定する。そして、決定した係数を撮影回数に乗じた値を親密度として算出する。これにより、友人の顔が画像に大きく写っている程その友人の親密度を高くすることができる。
【０１２０】
また、撮影された友人が撮像装置３０２の所有者と一緒に写っている場合に親密度を重み付けしてもよい。例えば、ユーザ甲は、予めデジタルカメラ３０２ａで自分の顔を撮影し、自分の顔の顔特徴データを情報記憶部３４２に記憶させておく。なお、ユーザ甲は、顔特徴データを情報記憶部３４２に記憶させる際に、自分自身の顔であることを示す特定情報等を顔特徴データに関連付けておく。
【０１２１】
ここで、デジタルカメラ３０２ａにより友人乙がユーザ甲自身と一緒に写った画像が撮影された場合、ＣＰＵ３２０は、更新された撮影回数に、例えば、係数１．１を乗じた値を親密度として算定する。
【０１２２】
また、ランキングテーブルを作成した際に、親密ランクの順位が高いＩＤに対応する親密度を重み付けしてもよい。例えば、図２３に示すように、ランキングテーブル（図２０参照）において、上位３番目までのＩＤの親密度をそれぞれ１．１倍し、ＩＤ「１１１１」を親密度「５５」、ＩＤ「２２２２」親密度「２２」、ＩＤ「３３３３」の親密度「１６．５」のように変更する。この場合、親密度ファイルに記録されている各ＩＤの親密度についてもそれぞれ変更後の親密度に変更する。
【０１２３】
また、上述の第３の実施の形態において、人物が撮影された撮影頻度に基づいて親密度を算出してもよい。例えば、図２４に示すように、顔特徴データから認識された撮影回数を親密度ファイルに記憶させ、それぞれのＩＤの撮影回数を撮影回数の合計値で除した値を各ＩＤの親密度とする。この場合、親密度の合計値は常に１．００となり、各親密度は、それぞれ親密度の合計値に対する割合で示される。
【０１２４】
次に、ランキングテーブルを作成する際には、図２５に示すように、親密度が０以上０．２０未満のＩＤを親密ランク「１」に分類し、親密度が０．２０以上０．５０未満のＩＤを親密ランク「２」に分類し、親密度が０．５０以上のＩＤを親密ランク「３」にそれぞれ分類する。
【０１２５】
このように、撮影頻度に基づいて親密度を算出することにより、撮影回数が増加するにつれて親密度が全体的に上昇することを防止することができる。よって、親密度の上昇に合わせてランキングテーブルの閾値を変更する必要を無くすことができる。
【０１２６】
なお、各ＩＤの撮影回数を撮影回数の合計値を分母とすることに代えて、デジタルカメラ３０２ａにおける全撮影回数を分母として親密度を算出してもよい。
【符号の説明】
【０１２７】
２…画像共有システム、４…画像共有サーバ、６…ネットワーク、８…撮像装置、２０…ＣＰＵ、２２…通信部、２４…個人情報記憶部、２６…画像記憶部、２８…顔認識部、３０…ＣＰＵ、３２…通信部、３３…近距離通信部、３４…ＧＰＳ、３８…ＬＣＤ表示部、４１…撮像素子、４４…情報生成部、４６…情報記憶部、５２…メモリカード
１０２…画像共有システム、１０４…画像共有サーバ、１０６…ネットワーク、１０８…撮像装置、１２０…ＣＰＵ、１２２…通信部、１２４…個人情報記憶部、１２６…画像記憶部、１２８…情報記憶部、１２９…画像ＤＢ、１３０…ＣＰＵ、１３２…通信部、１３４…ＧＰＳ、１３８…ＬＣＤ表示部、１４１…撮像素子、１５２…メモリカード
３０１…画像共有システム、３０２…撮像装置、３０２ａ…デジタルカメラ、３０４…画像共有サーバ、３２０…ＣＰＵ、３３４…通信部、３３６…ＬＣＤ表示部、３３８…撮像素子、３４０…顔認識部、３４２…情報記憶部、３４４…親密度記憶部、３４６…メモリカード、３６０…ＣＰＵ、３６２…通信部、３６４…個人情報記憶部、３６６…画像記憶部、３７０…顔認識部
【図１】
2016051980.tif 000003
【図２】
2016051980.tif 000004
【図３】
2016051980.tif 000005
【図４】
2016051980.tif 000006
【図５】
2016051980.tif 000007
【図６】
2016051980.tif 000008
【図７】
2016051980.tif 000009
【図８】
2016051980.tif 000010
【図９】
2016051980.tif 000011
【図１０】
2016051980.tif 000012
【図１１】
2016051980.tif 000013
【図１２】
2016051980.tif 000014
【図１３】
2016051980.tif 000015
【図１４】
2016051980.tif 000016
【図１５】
2016051980.tif 000017
【図１６】
2016051980.tif 000018
【図１７】
2016051980.tif 000019
【図１８】
2016051980.tif 000020
【図１９】
2016051980.tif 000021
【図２０】
2016051980.tif 000022
【図２１】
2016051980.tif 000023
【図２２】
2016051980.tif 000024
【図２３】
2016051980.tif 000025
【図２４】
2016051980.tif 000026
【図２５】
2016051980.tif 000027